(57)【特許請求の範囲】
【請求項１】
ベースと、
前記ベースに設けられ、取っ手を有するカップがはまり込むカップ保持穴と、前記カップ保持穴の一部を切り欠き、前記カップの前記取っ手がはまり込む切欠部と、
前記切欠部に開閉可能に取り付けられるアームと、
前記切欠部を閉じる方向に前記アームを付勢する付勢部材と
を備え、
前記アームを上下方向に移動可能に取り付け、上昇位置で前記切欠部を閉じるように構成し、前記上昇位置に向かって前記付勢部材で付勢し、前記カップの前記取っ手に押されて前記付勢部材の付勢力に抗して、前記アームが下降するようにしていることを特徴とする取っ手を有するカップ用ホルダー。
【請求項２】
前記アームの一端部が、前記切欠部に軸止されて上下方向に回転するようにしていることを特徴とする請求項１に記載の取っ手を有するカップ用ホルダー。
【請求項３】
前記アームは、前記切欠部に上下方向にスライド可能に取り付けられていることを特徴とする請求項１に記載の取っ手を有するカップ用ホルダー。
【発明の詳細な説明】
【０００１】
【発明の属する技術分野】
この発明は、例えばマグカップ等のような取っ手を有するカップ用ホルダーに関し、特にカップの回転を防止することができるようにしたものである。
【０００２】
【従来の技術】
従来、マグカップの専用ホルダーは無く、図６に示すように、ホルダー100の切欠部110に、マグカップ200の取っ手210を差し込んでいた。
なお、切欠部のあるホルダーとしては、例えば特開平７−１８６８０８号公報、実用新案登録第３０２５７３０号公報等が知られている。
【０００３】
【発明が解決しようとする課題】
しかし、上記した図６に示す従来のホルダー100では、その円形のカップ保持穴120中でマグカップ200が回転し易く、その取っ手210が切欠部110を開閉するアーム130にはまり込んだり、或いは手前の引き手140にはまり込み、マグカップ200がカップ保持穴120から抜けなくなってしまうという問題点があった。
【０００４】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、取っ手を有するカップの回転を防止することができるようにしたものである。
（請求項２）
請求項２に記載の発明は、上記した請求項１に記載の発明の目的に加え、次の点を目的とする。
【０００５】
すなわち、請求項２に記載の発明は、アームを回転することができるようにしたものである。
（請求項３）
請求項３に記載の発明は、上記した請求項１に記載の発明の目的に加え、次の点を目的とする。
【０００６】
すなわち、請求項３に記載の発明は、アームを上下方向にスライドすることができるようにしたものである。
【０００７】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【０００８】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１に記載の発明は、次の２つの点を特徴とする。
【０００９】
第１に、ホルダー(10)は、例えば図１〜３に示すように、次の構成を備える。
（１）ベース(30)
（２）カップ保持穴(32)
カップ保持穴(32)は、例えば図１〜３に示すように、ベース(30)に設けられ、取っ手(21)を有するカップ(20)がはまり込むものである。
【００１０】
（３）切欠部(33)
切欠部(33)は、例えば図１〜３に示すように、カップ保持穴(32)の一部を切り欠き、カップ(20)の取っ手(21)がはまり込むものである。
（４）アーム(40)
アーム(40)は、例えば図１〜３に示すように、切欠部(33)に開閉可能に取り付けられている。
【００１１】
なお、図１〜３に示す実施の形態では、アーム(40)は、その軸(41)を中心に回転することで、切欠部(33)を開閉している。
また、図４〜５に示す実施の形態では、アーム(40)が上下方向にスライドすることで、切欠部(33)を開閉している。
（５）付勢部材（例えばスプリング50）
付勢部材は、例えば図１〜３に示すように、切欠部(33)を閉じる方向にアーム(40)を付勢するものである。
【００１２】
付勢部材は、例えば図１〜３に示すように、スプリング(50)が使用されている。なお、付勢部材は、スプリング(50)に限らず、図示しないが、板ばね等を使用しても良い。
第２に、アーム(40)を、例えば図１〜３に示すように、上下方向に移動可能に取り付けている。
【００１３】
そして、アーム(40)の上昇位置では、例えば図３に示すように、切欠部(33)を閉じるように構成している。
また、アーム(40)を、上昇位置に向かって、例えば図３に示すように、付勢部材（例えばスプリング50）で付勢している。
そして、カップ(20)の取っ手(21)に押されて付勢部材（例えばスプリング50）の付勢力に抗して、アーム(40)が、例えば図１に示すように、下降するようにしている。
（請求項２）
請求項２に記載の発明は、上記した請求項１記載の発明の特徴点に加え、次の点を特徴とする。
【００１４】
すなわち、アーム(40)の一端部が、例えば図１〜３に示すように、切欠部(33)に軸止されて上下方向に回転するようにしている。
（請求項３）
請求項３に記載の発明は、上記した請求項１記載の発明の特徴点に加え、次の点を特徴とする。
【００１５】
すなわち、アームは、例えば図４〜５に示すように、切欠部(33)に上下方向にスライド可能に取り付けられている。
【００１６】
【発明の実施の形態】
（図面の説明）
図１〜３は、本発明の実施の形態の一例を示すものである。
図１は、ホルダーの斜視図、図２はホルダーの分解斜視図、図３はカップの未挿入状態を示すホルダーの斜視図をそれぞれ示すものである。
（ホルダー10）
図中、10は、ホルダーを示すものであり、例えば自動車等に取り付けられ、取っ手21を有するマグカップ等のカップ20を上方から挿入して保持できるようにしている。
【００１７】
なお、ホルダー10の取付部位は、自動車等の車両に限らず、家具等であっても良い。
また、カップ20は、取っ手21があれば良く、マグカップに限定されない。さらに、ホルダー10の用途としては、取っ手の無い缶やペットボトル類も保持することができる。
【００１８】
上記ホルダー10は、大別すると、次のパーツより構成されている。
（１）ベース30
ベース30は、図示しないが、車室内にスライド可能に保持され、引き手31を持って、手前に引き出して使用する。
そして、ベース30には、図１〜３に示すように、取っ手21を有するカップ20がはまり込む円形のカップ保持穴32を設けている。
【００１９】
上記カップ保持穴32には、図１〜３に示すように、その円周上の一部を切り欠き、カップ20の取っ手21がはまり込む切欠部33を設けている。
また、カップ保持穴32の真下には、図１〜３に示すように、カップ保持穴32から挿入したカップ20の底が載る底板34を設けている。
なお、ベース30は、スライドタイプに限定されず、扉状に開閉できるようにしたり、或いは固定式としても良い。
【００２０】
（２）アーム40
アーム40は、図１〜３に示すように、切欠部33に上下方向に移動可能に取り付けられている。
具体的には、アーム40の一端部には、図２に示すように、横に突出した軸41を設け、この軸41を切欠部33を挟んで対向する一方の端部、例えば手前側の端部に軸止している。
【００２１】
そして、アーム40は、図３に示すように、水平或いはベース30と平行な上昇状態では、カップ保持穴32の切欠部33を閉じている。アーム40の最大上昇位置は、図示しないが、その上縁部が切欠部33の端部に当接した位置で規制される。
これに対し、アーム40が、図１に示すように、軸41を中心に下方に回転した下降状態では、カップ保持穴32の切欠部33を開放する。アーム40の最大上下降置は、その自由端部が底板34の当接した位置で規制される。
【００２２】
なお、アーム40に軸41を設けたが、逆にカップ保持穴32の切欠部33に軸を設けても良い。
（３）スプリング50
スプリング50は、図２に示すように、アーム40の軸41に通され、図３に示すように、アーム40を上昇状態に向かって付勢する。そして、カップ20の取っ手21が載った状態では、アーム40は、図１に示すように、カップ20の自重等により、スプリング50のばね力に抗して、軸41を中心に下方に回転する。
【００２３】
なお、スプリング50により付勢部材を構成したが、付勢部材としては、スプリング50に限らず、板ばね等でも良い。
（使用方法）
カップ20の取っ手21を、図１に示すように、カップ保持穴32の切欠部33に位置させて、カップ20をカップ保持穴32に挿入すれば良い。
【００２４】
カップ20を挿入すると、図１に示すように、アーム40がカップ20の取っ手21により押し下げられ、スプリング50のばね力に抗して、軸41を中心に下方に回転する。
そして、アーム40は、図１に示すように、その自由端部が底板34の当接した位置で停止する。
【００２５】
その後、カップ20から手を離しても、カップ20の自重等により、アーム40は、図１に示すように、下降状態を維持する。
そして、アーム40がカップ保持穴32中で回転しようとすると、カップ20の取っ手21がアーム40に当たって手前方向には回転できない。
また、アーム40が奥側に向かって回転しようとすると、切欠部33を挟んで対向する奥側の端部に、カップ20の取っ手21が当たって奥方向にも回転が規制される。
【００２６】
一方、カップ保持穴32からカップ20を抜き取ると、アーム40が、図３に示すように、スプリング50のばね復元力により、軸41を中心に上方に回転する。
このため、カップ保持穴32の切欠部33は、図３に示すように、アーム40により閉じられる。
例えば、図示しないが、切欠部33より小さい直径を有するペン等をカップ保持穴32に差しておいても、切欠部33を通して抜け落ちる心配がない。
（第２の実施の形態）
図４〜５は、本発明の他の実施の形態を示すものである。
【００２７】
図４は、ホルダーの断面図、図５はカップの挿入状態を示す断面図をそれぞ示すものである。
本発明の実施の形態の特徴は、図４〜５に示すように、アーム40を上下方向にスライドできるようにした点にある。
アーム40は、図４〜５に示すように、ベース30のスライド溝35に上下動可能に保持されている。
【００２８】
そして、アーム40は、図４に示すように、上昇した状態では、切欠部33を閉じている。これに対し、図５に示すように、下降すると、アーム40は、切欠部33を開放する。
スプリング50は、図４〜５に示すように、アーム40の下端部とスライド溝35の底との間で圧縮される。そして、スプリング50は、図４に示すように、アーム40を上昇位置に向かって付勢している。
【００２９】
アーム40は、カップ20の取っ手21により押し下げられると、スプリング50のばね力に抗して、図５に示すように、下降して切欠部33を開放する。このとき、カップ20から手を離しても、カップ20の自重等により、アーム40は、下降状態を維持する。
これに対して、カップ保持穴32からカップ20を抜き取ると、図４に示すように、スプリング50のばね復元力により、アーム40が上昇し、切欠部33が閉じられる。
【００３０】
【発明の効果】
本発明は、以上のように構成されているので、以下に記載されるような効果を奏する。
（請求項１）
請求項１記載の発明によれば、次のような効果を奏する。
【００３１】
すなわち、請求項１記載の発明によれば、取っ手を有するカップの回転を防止することができる。
（請求項２）
請求項２に記載の発明によれば、上記した請求項１に記載の発明の効果に加え、次のような効果を奏する。
【００３２】
すなわち、請求項２に記載の発明によれば、アームを回転することができる。（請求項３）
請求項３に記載の発明によれば、上記した請求項１に記載の発明の効果に加え、次のような効果を奏する。
すなわち、請求項３に記載の発明によれば、アームを上下方向にスライドすることができる。
【図面の簡単な説明】
【図１】ホルダーの斜視図である。
【図２】ホルダーの分解斜視図である。
【図３】カップの未挿入状態を示すホルダーの斜視図である。
【図４】発明の第２の実施の形態を示し、同図はホルダーの断面図である。
【図５】図５に対応し、同図はカップの挿入状態を示すホルダーの断面図である。
【図６】従来のホルダーの斜視図である。
【符号の説明】
10  ホルダー        20  カップ
21  取っ手          30  ベース
31  引き手          32  カップ保持穴
33  切欠部          34  底板
35  スライド溝      40  アーム
41  軸              50  スプリング
100  ホルダー       110  切欠部
120  カップ保持穴   130  アーム
140  引き手         200  マグカップ
210  取っ手
【図１】
0003973771.tif 000002
【図２】
0003973771.tif 000003
【図３】
0003973771.tif 000004
【図４】
0003973771.tif 000005
【図５】
0003973771.tif 000006
【図６】
0003973771.tif 000007